【手続補正書】
【提出日】平成22年12月14日(2010.12.14)
【手続補正１】
【補正対象書類名】特許請求の範囲
【補正対象項目名】全文
【補正方法】変更
【補正の内容】
【特許請求の範囲】
【請求項１】
印刷装置と当該印刷装置に接続された後処理装置とを具備する印刷処理システムであって、
前記印刷装置を使用した印刷処理と、当該印刷処理により印刷されたシートに対する前記後処理装置による後処理とを含むインラインジョブを受付ける受付け手段と、
前記インラインジョブを前記印刷装置による印刷処理と、前記後処理装置により後処理を行うオフライン処理とに分離するかどうか判断するジョブ分離判断手段と、
前記ジョブ分離判断手段が分離しないと判断した場合に、前記インラインジョブを前記印刷処理と前記後処理装置とにより実行するジョブ実行手段と、
前記ジョブ分離判断手段が分離すると判断した場合に、前記後処理装置により前記インラインジョブに含まれる前記後処理を行うことなく、前記印刷装置により前記オフライン処理に対応する印刷処理を行うように制御する印刷制御手段と、
を有することを特徴とする印刷処理システム。
【請求項２】
前記ジョブ分離判断手段は、前記インラインジョブにより指定された後処理が、前記印刷処理システムがサポートしているオフライン処理に含まれるかどうかに基づいて判断することを特徴とする請求項１に記載の印刷処理システム。
【請求項３】
前記ジョブ分離判断手段は、前記インラインジョブで指示された後処理を実行する後処理装置が他のジョブを実行している場合に、前記インラインジョブを分離すると判断することを特徴とする請求項１又は２に記載の印刷処理システム。
【請求項４】
前記ジョブ分離判断手段は、前記インラインジョブが所定部数以上のシートが混載されたシートに対する後処理を含む場合に、前記インラインジョブを分離すると判断することを特徴とする請求項１又は２に記載の印刷処理システム。
【請求項５】
前記印刷制御手段による、前記インラインジョブのオフライン処理に対応する印刷処理は、前記オフライン処理がくるみ製本処理を含む場合、前記くるみ製本処理で使用される表紙及び本身をそれぞれ指定された部数分、連続して印刷する処理を含むことを特徴とする請求項１に記載の印刷処理システム。
【請求項６】
印刷装置と当該印刷装置に接続された後処理装置とを具備する印刷処理システムの制御方法であって、
前記印刷装置を使用した印刷処理と、当該印刷処理により印刷されたシートに対する前記後処理装置による後処理とを含むインラインジョブを受付ける受付け工程と、
前記インラインジョブを前記印刷装置による印刷処理と、前記後処理装置により後処理を行うオフライン処理とに分離するかどうか判断するジョブ分離判断工程と、
前記ジョブ分離判断工程で分離しないと判断した場合に、前記インラインジョブを前記印刷処理と前記後処理装置とにより実行させるジョブ実行工程と、
前記ジョブ分離判断工程で分離すると判断した場合に、前記後処理装置により前記インラインジョブに含まれる前記後処理を行うことなく、前記印刷装置により前記オフライン処理に対応する印刷処理を行うように制御する印刷制御工程と、
を有することを特徴とする印刷処理システムの制御方法。
【請求項７】
前記ジョブ分離判断工程は、前記インラインジョブにより指定された後処理が、前記印刷処理システムがサポートしているオフライン処理に含まれるかどうかに基づいて判断することを特徴とする請求項６に記載の印刷処理システムの制御方法。
【請求項８】
前記ジョブ分離判断工程は、前記インラインジョブで指示された後処理を実行する後処理装置が他のジョブを実行している場合に、前記インラインジョブを分離すると判断することを特徴とする請求項６又は７に記載の印刷処理システムの制御方法。
【請求項９】
前記ジョブ分離判断工程は、前記インラインジョブが所定部数以上のシートが混載されたシートに対する後処理を含む場合に、前記インラインジョブを分離すると判断することを特徴とする請求項６又は７に記載の印刷処理システムの制御方法。
【請求項１０】
請求項６乃至９のいずれか１項に記載の制御方法をコンピュータに実行させるためのプログラム。
【請求項１１】
請求項１０に記載のプログラムを記憶した、コンピュータにより読取可能な記憶媒体。
【手続補正２】
【補正対象書類名】明細書
【補正対象項目名】０００８
【補正方法】変更
【補正の内容】
【０００８】
上記目的を達成するために本発明の一態様に係る印刷処理システムは以下のような構成を備える。即ち、
印刷装置と当該印刷装置に接続された後処理装置とを具備する印刷処理システムであって、
前記印刷装置を使用した印刷処理と、当該印刷処理により印刷されたシートに対する前記後処理装置による後処理とを含むインラインジョブを受付ける受付け手段と、
前記インラインジョブを前記印刷装置による印刷処理と、前記後処理装置により後処理を行うオフライン処理とに分離するかどうか判断するジョブ分離判断手段と、
前記ジョブ分離判断手段が分離しないと判断した場合に、前記インラインジョブを前記印刷処理と前記後処理装置とにより実行するジョブ実行手段と、
前記ジョブ分離判断手段が分離すると判断した場合に、前記後処理装置により前記インラインジョブに含まれる前記後処理を行うことなく、前記印刷装置により前記オフライン処理に対応する印刷処理を行うように制御する印刷制御手段と、
を有することを特徴とする。
【手続補正３】
【補正対象書類名】明細書
【補正対象項目名】０００９
【補正方法】変更
【補正の内容】
【０００９】
上記目的を達成するために本発明の一態様に係る印刷処理システムの制御方法は以下のような工程を備える。即ち、
印刷装置と当該印刷装置に接続された後処理装置とを具備する印刷処理システムの制御方法であって、
前記印刷装置を使用した印刷処理と、当該印刷処理により印刷されたシートに対する前記後処理装置による後処理とを含むインラインジョブを受付ける受付け工程と、
前記インラインジョブを前記印刷装置による印刷処理と、前記後処理装置により後処理を行うオフライン処理とに分離するかどうか判断するジョブ分離判断工程と、
前記ジョブ分離判断工程で分離しないと判断した場合に、前記インラインジョブを前記印刷処理と前記後処理装置とにより実行させるジョブ実行工程と、
前記ジョブ分離判断工程で分離すると判断した場合に、前記後処理装置により前記インラインジョブに含まれる前記後処理を行うことなく、前記印刷装置により前記オフライン処理に対応する印刷処理を行うように制御する印刷制御工程と、
を有することを特徴とする。
【手続補正４】
【補正対象書類名】明細書
【補正対象項目名】００２２
【補正方法】変更
【補正の内容】
【００２２】
シート処理装置２００は、印刷装置１００と通信可能に構成され、印刷装置１００からの指示を受け、後述するようなシート処理を実行する。スキャナ２０１は、原稿上の画像を読み取り、これを画像データに変換し、他のユニットに転送する。外部Ｉ／Ｆ２０２は、ネットワーク１０１に接続された他の装置との間でデータの送受信を行う。プリンタ部２０３は、入力された画像データに基づく画像をシート上に印刷する。操作部２０４は、図７を参照して後述するハードキー入力部（キー入力部）７００２や、タッチパネル部７００１を有し、それらを介してユーザからの指示を受付ける。また操作部２０４は、操作部２０４が有するタッチパネルに各種表示を行う。
【手続補正５】
【補正対象書類名】明細書
【補正対象項目名】０１０２
【補正方法】変更
【補正の内容】
【０１０２】
そして、ユーザは、この指示に従って各シート束を、それぞれ指示されたインサータにセットする。そしてユーザは、その図１４に示す開始ボタン１４０１を押下する。これにより図１２のステップＳ３０からステップＳ３１に進み、シート処理装置２００は、図１４で指示したインサータにシートがセットされているかどうかをチェックする。ここで各インサータにシートがセットされていると判断するとステップＳ３２に進み、その指示されているフィニッシング処理を実行する。一方ステップＳ３２で、シートがセットされていないと判断するとステップＳ２９に戻り、再度、図１４に示すシート処理画面を表示し、ユーザにシートのセットを促す。
【手続補正６】
【補正対象書類名】明細書
【補正対象項目名】０１０３
【補正方法】変更
【補正の内容】
【０１０３】
尚、ステップＳ３０で、図１４に示すキャンセルボタン１４０２が押下されると、そのジョブ分離によるシート処理をキャンセルして処理を終了する。